(57)【要約】【課題】足指の運動機能を向上させることが可能な足指運動具の小型化及び計量化を実現できるようにする。【解決手段】本体プレートと、上側カバーと、前記本体プレートと上側カバーとの間に配置された足底先端部支持体とを有し、前記本体プレートおよび上側カバーは、使用者が足底先端部を前記足底先端部支持体を押圧して足指運動を行う際に、使用者の足指の付け根を乗せることが可能な程度の大きさに形成されている足指運動具であって、前記本体プレートは、適度な剛性を有し、使用者の足指運動が行われて前記足底先端部支持体が踵側方向に移動される力に対して大きな抵抗力が得られるように構成され、前記足底先端部支持体は、柔軟部材で構成され、使用者の足の足底先端部に柔軟に当接するように構成され、前記上側カバーは、前記足底先端部支持体の柔軟性を損なうことなく前記本体プレートの表面を覆うように構成されていることを特徴とする。【選択図】図１
2013034813.tif 000002
【特許請求の範囲】
【請求項１】
本体プレートと、上側カバーと、前記本体プレートと上側カバーとの間に配置された足底先端部支持体とを有し、前記本体プレートおよび上側カバーは、使用者が足底先端部を前記足底先端部支持体を押圧して足指運動を行う際に、使用者の足指の付け根を乗せることが可能な程度の大きさに形成されている足指運動具であって、
前記本体プレートは、適度な剛性を有し、使用者の足指運動が行われて前記足底先端部支持体が踵側方向に移動される力に対して大きな抵抗力が得られるように構成され、
前記足底先端部支持体は、柔軟部材で構成され、使用者の足の足底先端部に柔軟に当接するように構成され、
前記上側カバーは、前記足底先端部支持体の柔軟性を損なうことなく前記本体プレートの表面を覆うように構成されていることを特徴とする足指運動具。
【請求項２】
請求項１に記載の足指運動具を装着したことを特徴とする足指運動具を備えた履物。
【発明の詳細な説明】
【技術分野】
【０００１】  本発明は足指運動具及び足指運動具を備えた履物に関する。
【背景技術】  長時間ずっと同じ姿勢で座っていたままの状態になっていることで、下肢の血液の流れが悪くなり、静脈血栓という血のかたまりができてしまうことが知られている。この静脈血栓ができてしまった状態で歩き出すと、それをきっかけにして、血栓が血液の流れにのって体の上部、肺の動脈までいき、ふさいでしまう場合がある。このような状況が発生する代表例としてエコノミークラス症候群が知られていろ。エコノミークラス症候群が発生すると呼吸困難、窒息状態に陥り、失神、状態が悪ければ突然死という可能性すらある。【０００２】  エコノミークラス症候群の予防には、とにかく血栓の塊が下肢でつくられないようにすること重要である。そこで、下肢の血液の流れを改善するために適度な運動を定期的に行うことが重要である。下肢の血液の流れを改善するために適した運動として、「足指運動」が良いことが知られている。【０００３】  また、足指運動はエコノミークラス症候群の予防のみならず、ふくらはぎや、膝、大腿（だいたい）そして、腰までの血流やリンパの流れを良くするとされているので、日常的に行うことが好ましいとされている。足指運動を行うための装置として特許文献１においては足指運動装置が提案されている。
【先行技術文献】
【特許文献】
【０００４】
【特許文献１】特開２０１１−０４５４７９号公報
【発明の開示】
【発明が解決しようとする課題】
【０００５】  特許文献１に記載の足指運動装置は、４本のローラに輪状のベルトが跨るように掛装されてベルトコンベア式の可動部を構成し、使用者の足を載せる基台の上面から可動部のベルトの一部が露出されるように設けられ、可動部を可動させて足指運動を行うようにしている。このため、装置が大掛かりとなり、例えば、旅行等に出かける場合に手軽に持っていくことが困難である問題点があった。
本発明は上述の問題点にかんがみ、足指の運動機能を向上させることが可能な足指運動具の小型化及び計量化を実現できるようにすることを目的とする。
【課題を解決するための手段】
【０００６】  本発明の足指運動具は、本体プレートと、上側カバーと、前記本体プレートと上側カバーとの間に配置された足底先端部支持体とを有し、前記本体プレートおよび上側カバーは、使用者が足底先端部を前記足底先端部支持体を押圧して足指運動を行う際に、使用者の足指の付け根を乗せることが可能な程度の大きさに形成されている足指運動具であって、
前記本体プレートは、適度な剛性を有し、使用者の足指運動が行われて前記足底先端部支持体が踵側方向に移動される力に対して大きな抵抗力が得られるように構成され、
前記足底先端部支持体は、柔軟部材で構成され、使用者の足の足底先端部に柔軟に当接するように構成され、前記上側カバーは、前記足底先端部支持体の柔軟性を損なうことなく前記本体プレートの表面を覆うように構成されていることを特徴とする足指運動具。
【発明の効果】
【０００７】  本発明によれば、小型で軽量に構成することが可能な足指運動具を提供することができる。
また、本発明の他の特徴によれば、足指運動を何時でも手軽に行うことが可能な足指運動具を備えた履物を提供することができる。
【図面の簡単な説明】
【０００８】
【図１】本発明の第１の実施形態を示し、全体構成を示すために足指運動具を分解した図である。
【図２】第１の実施形態の足指運動具の全体構成を示す図である。
【図３】第１の実施形態の足指運動具を用いて行うことを推奨する足裏及び足先運動の一例を説明する図である。
【図４】第２の実施形態を示し、足指運動具にバンドを設けた例を示す図である。
【図５】第３の実施形態を示し、足指運動具をサンダルに装着した状態を示す図である。
【発明を実施するための最良の形態】
【０００９】（第１の実施形態）
図１に示すように、本実施形態の足指運動具２０は本体プレート２０ａ及び上側カバー２０ｂとの間に足底先端部支持体３０を有し、使用者が足指運動具２０を使用する際に、使用者の足指の付け根が当接するように、足底先端部支持体３０が本体プレート２０ａと上側カバー２０ｂとの間に介在する。本体プレート２０ａは適度な剛性を有し、後述するように使用者の足指運動が行われて足底先端部支持体３０を踵側方向に移動させる力に対して大きな抵抗力が得られるようになされている。一方、上側カバー２０ｂ及び足底先端部支持体３０は柔軟部材で構成され、使用者の足２００の足底先端部２０２に柔軟に当接するようになされている。【００１０】  足指運動具２０ａと上側カバー２０ｂとは着脱自在に取り付けられている。着脱機構としては、面ファスナや両面テープを用いることができる。本体プレート２０ａおよび上側カバー２０ｂは、使用者が足底先端部２０１を足底先端部支持体３０を押圧して足指運動を行う際に、使用者の足指の付け根２０２を乗せることが可能な程度の大きさに形成されている。これにより、後述するように、使用者の足指が足底先端部支持体３０を踵方向に押圧しても、足指運動具２０がずれることなく足指運動を行うことができる。【００１１】  図１に示すように、本実施形態においては、足底先端部支持体３０の配置位置を調整可能にしている。図１の例では、足指運動具２０ａに一方の面ファスナ２５４が配設され、図示しないが一方の面ファスナに係合する他方の面ファスナが取り付けられていて、これらの面ファスナを係合させて足底先端部支持体３０の配置位置を自由に決めることができるようになされている。【００１２】  足底先端部支持体３０は、中央部が厚く形成されており、その両側に行くに従って薄くなるように形成されている。これは、後述するように、使用者の足底先端部を支持した際に、足底先端部の横アーチに沿ってサポートすることができるようにするためである。このように構成することにより、使用者の足底の先端部を確りと、かつ柔軟に支持することができる。【００１３】  図３（ａ）〜（ｃ）に示すように、本実施形態の足指運動具２０は、使用者の足指２０４の運動を行うのに好適である。すなわち、図３の説明図の（ａ）に示すように、通常は足底先端部支持体３０が使用者の足底先端部２０１に位置して足指の付け根２０２の下側を押圧して、使用者の足底先端部２０１を押圧することになる。なお、図３において、一方の面ファスナ２５４と他方の面ファスナとを総称して面ファスナ２５３とする。【００１４】  これにより、使用者に足指運動を行うことに注意を喚起することができるので、図３（ｂ）において白抜きの矢印で示したように、使用者の足指２０４を足底先端部支持体３０に掛けて手前に引き寄せる運動を繰り返し行うような運動を行うことを忘れずに励行させることが可能となり、足底筋２１０を鍛えるのに有効である。このような、足底先端部支持体３０を使用者の足指２０４で引き寄せる運動は、後述するように、本実施形態の足指運動具２０を履物に装着しておけば何時でも足指運動を行うことができるので、脚部の運動不足を解消に大きく役立つことができる。【００１５】  例えば、本実施形態の足指運動具２０を通勤用（通学用）の靴内に装着すると、脚に有効な運動を電車の中で行うために寄与することができる。すなわち、本実施形態の足指運動具２０は柔軟性を有する足底先端部支持体３０が使用者の足底先端部２０１に常に当接している。このため、足底先端部２０１に異物が当接するのを使用者は常に意識することになる。【００１６】  したがって、例えば通勤（通学）電車の中で足の指先運動をすることを決めておけば、足底先端部支持体３０の存在を折に触れて感じることにより、足の指先運動を忘れてしまうことは無くなり、足の指先運動を習慣的に継続することができるようになる。【００１７】  また、図３（ｃ）に示すように、使用者の足指２０４を図３（ｃ）において白抜きの矢印で示したように、上方に反らす運動を行うことにより、図３（ｂ）の運動を行なった際に使用した筋肉をストレッチすることができるとともに、足の脛側の筋肉及びその他、図３（ｂ）の足の指先運動の際にはあまり使用しなかった筋肉を鍛えることができる。【００１８】  図３（ｂ）、（ｃ）に示したような運動を行うことにより、足底筋２１０を鍛えることができるのは勿論のこと、脚部全体の筋肉、及び腰の筋肉を運動させることができる。これにより、例えば長時間に亘って乗り物に乗っているような場合において、下半身が運動不足になって発生する深部静脈血栓症（ＤＶＴ、別名：エコノミークラス症候群）を有効に防止することができる。また、このような運動を行うことにより足底の筋肉を鍛えることができ、横及び縦アーチを形成することにも有効である。【００１９】  また、図２の足指運動具の全体構成図に示すように、本実施形態の足指運動具２０は、足底先端部支持体３０が本体プレート２０ａと上側カバー２０ｂとの間に取り付けられているので、上側カバー２０ｂの表面には異物が何も存在しない状態である。したがって、足指運動具２０を履物に装着している際に、使用者の足の先端部を上側カバー２０ｂの表面上を滑らかに進退させることが可能であり、使用者が履物を着脱する際に足底先端部支持体３０が使用者の足の先端部に引っ掛かる不都合が生じることはない。【００２０】（第２の実施形態）
図４に、本発明の第２の実施形態を示す。
本実施形態においては足指運動具２０に甲ベルト２１を取り付けた例を示している。この甲ベルト２１は、図３で説明したように、足指運動具２０を用いて足指運動を行う際に、使用者の足指２０４が足底先端部支持体３０を引き寄せた際に、使用者の足２００が３０に対して浮き上がってしまうのを防止するために設けたものである。【００２１】  このように、足底先端部支持体３０に甲ベルト２１を設けることにより、使用者の足指２０４が足底先端部支持体３０および足指運動具２０に対して大きな圧力を加えることが可能になる。したがって、甲ベルト２１を設けることにより、足指運動を強力に行うことが可能になる。【００２２】（第３の実施形態）
図５に本発明の第３の実施形態を示す。
本実施形態においては、足指運動具２０を履物１００に装着した例を示している。なお、図５においては、履物１００の例としてサンダルを示しているが、ビジネスシューズ、スポーツシューズ、スニーカー等種々の履物、及びスリッパ等に装着して使用することができる。このように、足指運動具２０を履物１００に装着すると、使用者の足指２０４を履物１００に押し付けることを常に意識させることができるので、種々のスポーツ用靴に適用するのに好都合である。【００２３】  例えば、ゴルフシューズを例に説明する。ゴルフスィングの基本は下半身を確りと踏ん張ることであるとされている。このようにするために、足の裏で地面を掴むようにしてアドレスを行うようにすると良いのであるが、実際にゴルフボールを打つときには上半身ばかり力が入り、下半身で踏ん張ることがおろそかになってしまうのが殆どである。【００２４】  本実施形態の足指運動具及び足指運動具を備えた靴は、前述したように使用者の足底先端部２０１に柔軟性を有する足底先端部支持体３０が当接しているので、ゴルフボールを打つ際のアドレス時において、足の状態を確実に意識することができる。これにより、ゴルフボールを打つことに気をとられて、足の裏で確りと踏ん張ってアドレスすることを忘れてしまうのを防止することができ、基本に忠実なスィングを行うようにすることができる。【００２５】  なお、前述した実施形態においては、履物１００の先端部に装着する大きさの足指運動具２０の例を示した。このように構成することにより、足指運動具２０を履物に装着する際に、鋏を用いて足指運動具２０を適当な大きさに切る作業を不要にすることができる他、鋏を使用することが困難な飛行機の内部において都合が良い。すなわち、エコミークラス症候群が一番問題となっている飛行機内で、鋏を使用することなく、足指運動具２０を履物１００の内部に配設して使用することが可能となる。
しかしながら、本発明の足指運動具２０は、履物の全長に亘る足指運動具２０としてもよい。
【符号の説明】
【００２６】２０  足指運動具、２０ａ  本体プレート、２０ｂ  上側カバー足指運動具３０  足底先端部支持体、１００  履物、２００  使用者の足、２０１  使用者の足底先端部、２０２足指の付け根、２０３  使用者の足指の先端部
【図１】
2013034813.tif 000003
【図２】
2013034813.tif 000004
【図３】
2013034813.tif 000005
【図４】
2013034813.tif 000006
【図５】
2013034813.tif 000007